(57)【要約】【課題】簡単な構造で主引出しと内引出しの連結と連結解除が可能な引出し連結装置を提供すること。【解決手段】主引出し１４と内引出し１６とを連結する引出し連結装置２０が、主引出し１４の前板１４Ａの裏面に取付けられる揺動可能なアーム部材２８とこのアーム部材２８に設けられたフック部３０とを備える第１連結部材２２と、内引出し１６の前面又は側面に取付けられる揺動可能なアーム部材５０とこのアーム部材５０に設けられアーム部材２８及びアーム部材５０を揺動させてフック部３０と係合又は係合解除する棒部５２とを備える第２連結部材４６と、を有することで、簡単な構造で主引出し１４と内引出し１６の連結と連結解除が可能となる。【選択図】図５（Ｂ）
2011250876.tif 000002
【特許請求の範囲】
【請求項１】
筐体に出し入れ可能に配置された主引出しと、前記筐体に出し入れ可能に配置され前記主引出しの内部上方に設けられた内引出しと、を連結する引出し連結装置であって、
前記主引出しの前板の裏面に取付けられる揺動可能な第１揺動部材と、前記第１揺動部材に設けられた係合部と、を備える第１連結部材と、
前記内引出しの前面又は側面に取付けられる揺動可能な第２揺動部材と、前記第２遥動部材に設けられ前記第１揺動部材及び前記第２揺動部材を揺動させて前記係合部と係合又は係合解除する被係合部と、を備える第２連結部材と、
を有する引出し連結装置。
【請求項２】
前記係合部及び前記被係合部の何れか一方がフック部とされ、
前記係合部及び前記被係合部の何れか他方が前記フック部と係合する棒部又は板部とされた請求項１に記載の引出し連結装置。
【請求項３】
前記フック部は、前記フック部と前記棒部又は前記板部との係合状態を保持するロック部材を有する請求項２に記載の引出し連結装置。
【請求項４】
前記係合部及び前記被係合部の両方がフック部とされた請求項１に記載の引出し連結装置。
【請求項５】
前記フック部のうちの少なくとも一方は、前記フック部同士の係合状態を保持するロック部材を有する請求項４に記載の引出し連結装置。
【請求項６】
前記第１揺動部材及び前記第２揺動部材の少なくとも一方の取付位置を調節可能な調節装置を有する請求項１〜５の何れか１項に記載の引出し連結装置。
【請求項７】
前記調節装置は、ラチェットと、前記ラチェットに係合する係合部材と、を有する請求項６に記載の引出し連結装置。
【発明の詳細な説明】
【技術分野】
【０００１】
本発明は引出し連結装置に係り、特に、主引出しの上部に設置された内引出しと主引出しとを連結する引出し連結装置に関するものである。
【背景技術】
【０００２】
主引出しの上部に設置された内引出しと主引出しとを連結する引出し連結装置としては、例えば、特許文献１に示すものが知られている。特許文献１の引出し連結装置は、常態において、主引出しに設けられた鉤片が内引出しに設けられた被係止金具の突起に引っ掛けられて主引出しと内引出しとが連結されている。この鉤片は主引出しに設けられた押しボタンを押すことで被係止金具から退避するようになっており、押しボタンを押して鉤片と被係止金具との引っ掛かりを解除することで、主引出しと内引き出しとを別々に引き出すことが可能となる。
【先行技術文献】
【特許文献】
【０００３】
【特許文献１】特開２００２−１０１９８９号公報
【発明の概要】
【発明が解決しようとする課題】
【０００４】
しかしながら、特許文献１の引出し連結装置は、押しボタンを操作して、主引出しに設けられた鉤片を内引出しに設けられた被係止金具の突起に引掛ける、又は引っ掛かりを解除することから、連結構造が複雑になっていた。
【０００５】
本発明は上記事実を考慮し、簡単な構造で主引出しと内引出しの連結と連結解除が可能な引出し連結装置を得ることを課題とする。
【課題を解決するための手段】
【０００６】
請求項１の引出し連結装置は、筐体に出し入れ可能に配置された主引出しと、前記筐体に出し入れ可能に配置され前記主引出しの内部上方に設けられた内引出しと、を連結する引出し連結装置であって、前記主引出しの前板の裏面に取付けられる揺動可能な第１揺動部材と、前記第１揺動部材に設けられた係合部と、を備える第１連結部材と、前記内引出しの前面又は側面に取付けられる揺動可能な第２揺動部材と、前記第２遥動部材に設けられ前記第１揺動部材及び前記第２揺動部材を揺動させて前記係合部と係合又は係合解除する被係合部と、を備える第２連結部材と、を有している。
【０００７】
請求項１の引出し連結装置では、主引出しに取付けられた第１揺動部材と内引出しに取付けられた第２揺動部材とを揺動させて係合部と被係合部とを係合することで、第１連結部材及び第２連結部材が連結されて、主引出しと内引出しが連結される。これにより、主引出しの出し入れに内引出しの出し入れが連動する。
一方、第１連結部材及び第２連結部材が連結状態の場合には、第１揺動部材及び第２揺動部材を揺動させて係合部と被係合部とを係合解除することで、第１連結部材及び第２連結部材が連結解除されて、主引出しと内引出しが分離される。これにより、主引出しと内引出しを別々に出し入れ可能となる。
以上のように、請求項１の引出し連結装置によれば、簡単な構造で主引出しと内引出しの連結と連結解除が可能となる。
【０００８】
請求項２の引出し連結装置は、請求項１の引出し連結装置において、前記係合部及び前記被係合部の何れか一方がフック部とされ、前記係合部及び前記被係合部の何れか他方が前記フック部と係合する棒部又は板部とされている。
【０００９】
請求項２の引出し連結装置では、フック部と棒部又は板部とを係合することで、第１連結部材と第２連結部材が連結される。一方、フック部と棒部又は板部とを係合解除することで第１連結部材及び第２連結部材が連結解除される。
このように、フック部と棒部又は板部とを係合又は係合解除するという、より簡単な構造で主引出しと内引出しの連結と連結解除が可能となる。
【００１０】
請求項３の引出し連結装置は、請求項２の引出し連結装置において、前記フック部は、前記フック部と前記棒部又は前記板部との係合状態を保持するロック部材を有している。
【００１１】
請求項３の引出し連結装置では、フック部と棒状部又は板部との係合状態がロック部材により保持される。これにより、主引出しと内引出しとの連結外れが効果的に抑制される。
【００１２】
請求項４の引出し連結装置は、請求項１の引出し連結装置において、前記係合部及び前記被係合部の両方がフック部とされている。
【００１３】
請求項４の引出し連結装置では、一方のフック部と他方のフック部とを係合することで、第１連結部材及び第２連結部材が連結される。一方、一方のフック部と他方のフック部とを係合解除することで第１連結部材及び第２連結部材が連結解除される。
このように、一方のフック部と他方のフック部とを係合又は係合解除するという、より簡単な構造で主引出しと内引出しの連結と連結解除が可能となる。
【００１４】
請求項５の引出し連結装置は、請求項４の引出し連結装置において、前記フック部のうちの少なくとも一方は、前記フック部同士の係合状態を保持するロック部材を有している。
【００１５】
請求項５の引出し連結装置では、一方のフック部と他方のフック部との係合状態がロック部材により保持される。これにより、主引出しと内引出しとの連結外れが効果的に抑制される。
【００１６】
請求項６の引出し連結装置は、請求項１〜５の何れか１項の引出し連結装置において、前記第１揺動部材及び前記第２揺動部材の少なくとも一方の取付位置を調節可能な調節装置を有している。
【００１７】
請求項６の引出し連結装置では、調節装置により第１揺動部材及び第２揺動部材の少なくとも一方の取付位置を調節することができる。これにより、係合部の位置と被係合部の位置とを調節して、係合部と被係合部との係合状態をより強固にすることができる。
【００１８】
請求項７の引出し連結装置は、請求項６の何れか１項の引出し連結装置において、前記調節装置は、ラチェットと、前記ラチェットに係合する係合部材と、を有している。
【００１９】
請求項７の引出し連結装置では、ラチェットと係合部材とが係合する位置を調節するという簡単な構造で、第１揺動部材及び第２揺動部材の少なくとも一方の取付位置を調節することができる。
【発明の効果】
【００２０】
請求項１に記載の本発明の引出し連結装置は、上記構成としたので、簡単な構造で主引出しと内引出しの連結と連結解除が可能となる。
請求項２に記載の本発明の引出し連結装置は、上記構成としたので、より簡単な構造で主引出しと内引出しの連結と連結解除が可能となる。
請求項３に記載の本発明の引出し連結装置は、上記構成としたので、主引出しと内引出しの連結外れが効果的に抑制される。
請求項４に記載の本発明の引出し連結装置は、上記構成としたので、より簡単な構造で主引出しと内引出しの連結と連結解除が可能となる。
請求項５に記載の本発明の引出し連結装置は、上記構成としたので、主引出しと内引出しの連結外れが効果的に抑制される。
請求項６に記載の本発明の引出し連結装置は、上記構成としたので、係合部と被係合部との係合状態をより強固にすることができる。
請求項７に記載の本発明の引出し連結装置は、上記構成としたので、簡単な構造で、第１揺動部材及び第２揺動部材の少なくとも一方の取付位置を調節することができる。
【図面の簡単な説明】
【００２１】
【図１】本発明の一実施形態に係る引出し連結装置が適用されたキッチンキャビネットを示す斜視図である。
【図２】本発明の一実施形態に係る引出し連結装置が適用されたキッチンキャビネットを示す概略側断面図である。
【図３】本発明の一実施形態に係る引出し連結装置の第１連結部材を示す分解斜視図である。
【図４】本発明の一実施形態に係る引出し連結装置の第２連結部材を示す分解斜視図である。
【図５（Ａ）】本発明の一実施形態に係る引出し連結装置により主引出しと内引出しが連結された状態を示す、キッチンキャビネットの概略側断面図である。
【図５（Ｂ）】本発明の一実施形態に係る引出し連結装置により連結された主引出しと内引出しの連結状態を解除する動作を示す、キッチンキャビネットの概略側断面図である。
【図６】（Ａ）本発明の一実施形態に係る引出し連結装置の調節装置の要部を示す、調節装置の部分側断面図である。（Ｂ）本発明の一実施形態に係る引出し連結装置の調節装置を用いて高さ調節をする動作を示す、調節装置の部分側断面図である。
【図７】本発明のその他の実施形態に係る引出し連結装置の第１連結部材と第２連結部材の連結部分を示す側面図である。
【図８】本発明のその他の実施形態に係る引出し連結装置の第１連結部材、及び第２連結部材の要部を示す分解斜視図である。
【発明を実施するための形態】
【００２２】
以下、本発明の一実施形態に係る引出し連結装置について図１〜図６を用いて説明する。なお、図中矢印ＦＲはキッチンキャビネット前方方向（引出し方向）を示し、矢印ＵＰはキッチンキャビネット上方方向を示し、矢印Ｗはキッチンキャビネット幅方向を示している。
【００２３】
図１には、本発明の一実施形態に係る引出し連結装置が適用されたキッチンキャビネット１０の斜視図が示されている。このキッチンキャビネット１０は、筐体の一例であるキャビネット本体１２を備えている。キャビネット本体１２は、背板１２Ａと左右の側板１２Ｂとによってコの字型に覆われた内部空間を備えており、背板１２Ａに対向する前面が開口部１２Ｃとなっている。
また、キッチンキャビネット１０は、キャビネット本体１２の内部に収容される主引出し１４と、この主引出し１４の内部上方に収容される内引出し１６と、を備えている。
【００２４】
図１、２に示すように、主引出し１４及び内引出し１６のそれぞれの側部と、キャビネット本体１２の左右の側板１２Ｂの内側面とには、キャビネット本体１２に対して主引出し１４及び内引出し１６をキッチンキャビネット１０の前方となる引出し方向（図１、２の矢印Ａ方向）と、キッチンキャビネット１０の後方となる収納方向（図１、２の矢印Ｂ方向）にスライドさせるためのレール部材１８、１９とスライド部材１５、１７が設けられている。
【００２５】
なお、これらのレール部材１８、１９及びスライド部材１５、１７は、周知の構成であるため詳細な説明は省略するが、所定の範囲内で前後に主引出し１４及び内引出し１６を円滑にスライドさせて、且つ、主引出し１４及び内引出し１６を全開まで引き出したときにも支持可能な構成である。
【００２６】
主引出し１４はキャビネット本体１２の開口部１２Ｃを覆う鏡板（前板）１４Ａと、前板１４Ａに対向する背面側に設けられた背板１４Ｂと、２枚の側板１４Ｃと、底板１４Ｄとを備えている。また、主引出し１４は前板１４Ａと背板１４Ｂと２枚の側板１４Ｃと底板１４Ｄとで覆われ、上部が開口された収納空間１４Ｅを有する。
【００２７】
内引出し１６は前板１６Ａと、前板１６Ａに対向する背面側に設けられた背板１６Ｂと、２枚の側板１６Ｃと、底板１６Ｄとを備えている。また、内引出し１６は前板１６Ａと背板１６Ｂと２枚の側板１６Ｃと底板１６Ｄとで覆われ、上部が開口された収納空間１６Ｅを有する。
【００２８】
なお、内引出し１６の収納空間１６Ｅの奥行き長さは、主引出し１４の収納空間１４Ｅの奥行き長さより短くなっており、主引出し１４の収納空間１４Ｅは、主引出し１４の前板１４Ａと内引出し１６の前板１６Ａとの間の前側空間と、内引出し１６の前板１６Ａと主引出し１４の背板１４Ｂとの間の後側空間とに分割されている。よって、主引出し１４の収納空間１４Ｅにおける前側空間には、主引出し１４の底板１４Ｄから内引出し１６の底板１６Ｄまでの高さで収まる台所用品（収納部の一例）が収納され、この後側空間では収容できない高さとなる台所用品が、前側空間に収納されるようになっている。
【００２９】
（引出し連結装置）
図１、２に示すように、主引出し１４と内引出し１６は、引出し連結装置２０により連結されている。これにより、主引出し１４の引き出しに連動して内引出し１６が引き出される。
【００３０】
引出し連結装置２０は、主引出し１４の前板１４Ａの裏面に取付けられる第１連結部材２２と、内引出し１６の前板１６Ａの前面に取付けられ第１連結部材２２と解除可能に連結される第２連結部材４６と、を備えている。
【００３１】
以下に、第１連結部材２２及び第２連結部材４６について説明する。
図３には、第１連結部材２２の分解斜視図を示している。図３に示すように、第１連結部材２２は、主引出し１４の前板１４Ａの裏面にねじ２５を用いて取付けられる断面コ字状のレール部材２４と、レール部材２４上をスライド可能とされたスライド部材２６と、スライド部材２６の下端部に設けられた揺動可能なアーム部材２８（第１遥動部材の一例）と、アーム部材２８の自由端部（先端部）に設けられたフック部３０（係合部の一例）と、アーム部材２８に設けられフック部３０が引っ掛けられる（係合される）後述する棒部５２（被係合部の一例）との係合状態を保持するためのロック部材４４と、を備えている。
【００３２】
図１、２に示すように、レール部材２４は、スライド部材２６が上下方向にスライド可能なように主引出し１４に取付けられている。また、レール部材２４の内面には、ラチェット３２が形成されている（図３参照）。一方、スライド部材２６の背面には、ラチェット３２の歯３２Ａに係合する係合部材３４が設けられている（図６（Ａ）参照）。この係合部材３４は、スライド部材２６の表面側に設けられた図示しない操作部（例えば、ボタン、レバーなど）を操作することでラチェット３２の歯３２Ａとの係合状態が解除（図６（Ｂ）参照）されるようになっている。ここで、ラチェット３２の歯３２Ａと係合部材３４との係合解除状態で、スライド部材２６をレール部材２４に対してスライドさせ、所望の位置でラチェット３２の歯３２Ａと係合部材３４とを係合させることで、スライド部材２６の上下方向の位置決めを行なうことができる。なお、本実施形態では、ラチェット３２と係合部材３４とで調節装置の一例が構成されている。
【００３３】
図３に示すように、スライド部材２６の下端部には幅方向（Ｗ）に延びるピン３６の両端部を支持する一対の支持部２６Ａが形成されている。一対の支持部２６Ａにより両端支持されたピン３６は、アーム部材２８の基端部に形成された貫通孔を挿通している。これにより、スライド部材２６にアーム部材２８が軸支され、アーム部材２８が揺動可能となる。また、スライド部材２６の表面には、立て掛けた状態のアーム部材２８を収納するための収納凹部２７が形成されている。収納凹部２７の底部には、後述するロック部材４４の把持部４４Ａの自由端部が挿入可能な挿入部３８が形成されている。なお、本実施形態の挿入部３８は、一例として貫通孔で形成している。
【００３４】
図３及び図５（Ａ）、（Ｂ）に示すように、アーム部材２８のフック部３０の近傍には、開口部４０が形成されている。この開口部４０を構成する一対の開口側壁４０Ａにはそれぞれ幅方向（Ｗ）に一直線状となるように貫通孔が形成され、この貫通孔を幅方向（Ｗ）に延びるピン４２が挿通してピン４２の両端が支持されている。また、ピン４２は、開口部４０を出入りするロック部材４４の基端部に形成された貫通孔を挿通している。これにより、アーム部材２８にロック部材４４が軸支されてロック部材４４が揺動可能となる。ロック部材４４は、ユーザが把持するための板状の把持部４４Ａと、把持部４４Ａの裏面側に立設されフック部３０に引っ掛かった棒部５２の抜け出しを当接により規制する壁部４４Ｂと、壁部４４Ｂの頂部（下端部）から把持部４４Ａの基端部へ向かって傾斜する傾斜壁部４４Ｃとを備えている。具体的には、図５に示すように、フック部３０に棒部５２が引っ掛かった状態においては、ロック部材４４の壁部４４Ｂが棒部５２の抜け出しを規制し、図５（Ｂ）に示すように、ロック部材４４を回動させて壁部４４Ｂをフック部３０の開放側から退避させることでフック部３０から棒部５２を外すことができるようになる。
【００３５】
図４には、第２連結部材４６の分解斜視図を示している。図４に示すように、第２連結部材４６は、内引出し１６の前板１６Ａの前面にねじ４９を用いて取付けられる板状のベース部材４８と、ベース部材４８に設けられた揺動可能なアーム部材５０と、アーム部材５０の自由端部に設けられた棒部５２（被係合部の一例）と、を備えている。
【００３６】
図４に示すように、アーム部材５０は、断面円形状の棒体をコ字状に折り曲げ、その両端部を外側に折り曲げて構成されている。なお、本実施形態では、アーム部材５０の両端部５０Ａは中央部である棒部５２に対して平行とされ、両端部５０Ａと中央部である棒部５２とを連結する連結部５０Ｂは棒部５２に対して直交している。
【００３７】
ベース部材４８は、長手方向（本実施形態では幅方向（Ｗ））の両端側にアーム部材５０の両端部が嵌まるＵ字溝５３が形成される一対の支持壁５４を備えている。この支持壁５４よりもベース部材４８の端部側には、前記ねじ４９を用いてベース部材４８と共に内引出し１６に取付けられてアーム部材５０の両端部５０Ａを挟持するコ字状の挟持部材５６が配置されている。また、ベース部材４８の両端部は、カバー５８により覆われている。このカバー５８により、挟持部材５６からアーム部材５０の端部５０Ａが外れるのが規制されている。
【００３８】
挟持部材５６は、弾性変形可能とされ、アーム部材５０の両端部５０Ａの周面の一部を切り欠いて構成された一対の平面部５０Ｃを、一対の挟持片５６Ａで挟んで支持している（図５（Ａ）参照）。この挟持部材５６は、アーム部材５０が内引出し１６の前板１６Ａから最も突き出た状態（図５（Ａ）図示状態）においては、一対の挟持片５６Ａで平面部５０Ｃを挟持して前記突き出た状態を保持する。一方、挟持部材５６は、図５（Ｂ）の二点鎖線で示すように、アーム部材５０を内引出し１６の前板１６Ａの前面に立て掛けた状態においては、弾性変形した一対の挟持片５６Ａで端部５０Ａの湾曲部分を挟持する。
【００３９】
次に、第１連結部材２２と第２連結部材４６との連結、及び連結解除操作について図５（Ａ）、（Ｂ）を用いて説明する。
まず、第１連結部材２２と第２連結部材４６との連結解除操作について説明する。図５（Ａ）に示す連結状態の第１連結部材２２と第２連結部材４６との連結解除操作は、まず、ロック部材４４の把持部４４Ａの自由端側をアーム部材２８から持ち上げる。これにより、壁部４４Ｂによるフック部３０と棒部５２との係合状態の保持が解除される。そして、把持部４４Ａを把持したままアーム部材２８を上方へ持ち上げると、アーム部材２８は、ピン３６を中心にして矢印Ｒ方向へ回動する。このとき、フック部３０に引っ掛かっている棒部５２も持ち上げられ、アーム部材５０が両端部５０Ａを中心に矢印Ｓ方向へ回動する。アーム部材２８の回動位置とアーム部材５０との回動位置が所定位置に達すると、棒部５２がフック部３０から外れる。このようにして、第１連結部材２２と第２連結部材４６との連結が簡単に解除される。なお、第１連結部材２２と第２連結部材４６との連結が解除された後は、アーム部材２８をスライド部材２６の収納凹部２７へ収納し、アーム部材５０を内引出し１６に立て掛けた状態とすることで、外部からの主引出し１４の視認性を向上させられ、さらに、主引出し１４に収納した台所用品（収納物の一例）などを取り出しやすくなる。
【００４０】
次に、第１連結部材２２と第２連結部材４６の連結操作について説明する。第１連結部材２２と第２連結部材４６の連結操作は、まず、内引出し１６に立て掛けられた状態のアーム部材５０を倒す。ここで、アーム部材５０をある程度倒すと両端部５０Ａの平面部５０Ｃが挟持部材５６の一対の挟持片５６Ａにより挟まれて、アーム部材５０の姿勢が図５（Ａ）図示状態に保持される。次に、収納凹部２７から取り外したアーム部材２８を回動させて、アーム部材２８の下面を棒部５２の上面に当接させる。この状態で内引出し１６を矢印Ｂ方向に移動させると、アーム部材２８の下面を棒部５２がスライドしてフック部３０に棒部５２が引っ掛かる。なお、棒部５２がアーム部材２８の下面をスライドする際、棒部５２とロック部材４４の傾斜壁部４４Ｃとが当接し、ロック部材４４は棒部５２により上方へ押し上げられる。このようにして、第１連結部材２２と第２連結部材４６とが簡単に連結される。
【００４１】
次に、本実施形態の引出し連結装置２０の作用効果について説明する。
前述したように、主引出し１４に取付けられた第１連結部材２２のアーム部材２８と内引出し１６に取付けられた第２連結部材４６のアーム部材５０とを揺動させてフック部３０と棒部５２とを係合させる（フック部３０を棒部５２に引っ掛ける）ことで、第１連結部材２２及び第２連結部材４６が連結されて、主引出し１４と内引出し１６が連結される。これにより、主引出し１４の出し入れに内引出し１６の出し入れが連動する。
一方、前述したように、第１連結部材２２及び第２連結部材４６が連結状態の場合には、アーム部材２８及びアーム部材５０を揺動させてフック部３０と棒部５２とを係合解除することで、第１連結部材２２及び第２連結部材４６が連結解除されて、主引出し１４と内引出し１６が分離される。これにより、主引出し１４と内引出し１６を別々に出し入れ可能となる。
以上のように、引出し連結装置２０によれば、簡単な構造で主引出し１４と内引出し１６の連結と連結解除が可能となる。
【００４２】
特に、フック部３０と棒部５２とを係合又は係合解除する（フック部３０を棒部５２に引っ掛ける又はフック部３０を棒部５２から外す）という簡単な構造で主引出し１４と内引出し１６の連結と連結解除が可能となることから、コストダウンを図ることができる。
また、フック部３０と棒部５２との係合状態がロック部材４４により保持される。これにより、常態における主引出し１４と内引出し１６との連結外れが効果的に抑制される。
【００４３】
さらに、ラチェット３２と係合部材３４との係合位置を調節することにより、アーム部材２８の取付け高さを調節することができる。これにより、棒部５２の高さに、フック部３０の高さを合わせることができるため、フック部３０と棒部５２との係合状態をより強固にすることができる（つまり、外れ難くすることができる）。また、ラチェット３２と係合部材３４との係合位置を調節するという簡単な構造で、アーム部材２８の取付け高さ調節を行なうことができる。
【００４４】
（その他の実施形態）
前述の実施形態では、アーム部材２８をスライド部材２６の収納凹部２７に収納可能な構成としているが、例えば、収納凹部２７を構成する壁面２７Ａに突起又は凹部を形成し、当該突起又は凹部とアーム部材２８の側壁面に形成された突起又は凹部とを嵌合させて、アーム部材２８の収納状態を保持する構成としてもよい。
【００４５】
また、前述の実施形態のアーム部材５０は、棒体を折り曲げて構成されているが、アーム部材５０は、鋳造品でもよい。そして、アーム部材５０は、棒状でなく、板状でも構わない。
【００４６】
また、本発明の引出し連結装置は、その他の実施形態として、図７に示す第２連結部材６２を用いる引出し連結装置６０としてもよい。この第２連結部材６２は、アーム部材６４の自由端部にフック部６６が形成され、このフック部６６が第１連結部材２２のフック部３０と係合するようになっている。このように第１連結部材２２と第２連結部材６２の自由端部がそれぞれフック部３０、６６とされることにより、より簡単な構成で、第１連結部材２２と第２連結部材６２とを連結することができる。
【００４７】
さらに、本発明の引出し連結装置は、その他の実施形態として、図８に示す第１連結部材６７を用いる引出し連結装置７６としてもよい。この第１連結部材６７は、アーム部材２８の自由端側が上下二又に分かれて弾性変形可能な一対の挟持部６８を構成している。この挟持部６８は、先端部にフック部７０が形成され、フック部７０よりもアーム部材２８の基端側に突起７２が形成されている。一対の挟持部６８は対向して配置され、フック部７０と突起７２とがそれぞれ接触している。ここで、引出し連結装置７６は、一対の挟持部６８を開いて棒部５２（ここではパイプ状の棒部）をフック部７０と突起７２との間に構成される空間に挿入することで、第１連結部材６７と第２連結部材４６とが簡単に連結される。そして、一対の挟持部６８を開いて棒部５２をフック部７０と突起７２との間に構成される空間から取り出すことで、第１連結部材６７と第２連結部材４６とが簡単に連結解除される。
【００４８】
そして、前述の実施形態では、第１連結部材２２のアーム部材２８及び第２連結部材４６のアーム部材５０が上下方向に揺動可能なように第１連結部材２２と第２連結部材４６を主引出し１４と内引出し１６にそれぞれ取付ける構成としているが、アーム部材２８及びアーム部材５０が水平方向に揺動可能なように第１連結部材２２と第２連結部材４６を主引出し１４と内引出し１６にそれぞれ取付ける構成としてもよい。この場合には、ラチェット３２の歯３２Ａと係合部材３４による高さ調節を水平方向（ここでは幅方向（Ｗ））の調節としてもよい。
また、第２連結部材４６を内引出し１６の側板１６Ｃに取付ける構成としてもよい。
さらに、第１連結部材２２を内引出し１６に主引出し１４に取り付け、第２連結部材４６を主引出し１４に取付ける構成としてもよい。
【００４９】
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、本発明の引出し連結装置を図１及び図２に示すキッチンキャビネット１０に適用したが、本発明の引出し連結装置は、引出しの上方を覆う天板上に加熱調理部を備えたレンジ台が設置されるシステムキッチン等にも適用可能である。さらに、キッチンなどの厨房家具以外に収納家具（例えば、机やタンスなどの）の引出しにも適用可能である。
【符号の説明】
【００５０】
１２      キャビネット本体
１４      主引出し
１６      内引出し
２０      引出し連結装置
２２      第１連結部材
２８      アーム部材（第１揺動部材）
３０      フック部（係合部）
３２      ラチェット（調節装置）
３４      係合部材（調節装置）
４４      ロック部材
４６      第２連結部材
５０      アーム部材（第２揺動部材）
５２      棒部（被係合部）
６０      引出し連結装置
６２      第２連結部材
６４      アーム部材（第２揺動部材）
６６      フック部（被係合部）
６７      第１連結部材
７０      フック部（係合部）
７６      引出し連結装置
【図１】
2011250876.tif 000003
【図２】
2011250876.tif 000004
【図３】
2011250876.tif 000005
【図４】
2011250876.tif 000006
【図５（Ａ）】
2011250876.tif 000007
【図５（Ｂ）】
2011250876.tif 000008
【図６】
2011250876.tif 000009
【図７】
2011250876.tif 000010
【図８】
2011250876.tif 000011